(57)【要約】【課題】手間を省いてより早く所望する情報を提供する情報処理装置、情報提供システム、情報提供方法、情報提供プログラム及び記録媒体を提供する。【解決手段】検索条件の入力を受け付ける入力手段と、既に行われた検索に利用された既検索条件と、既検索条件に対する検索結果のうち選択された情報と、選択回数と、を格納する検索履歴データベースと、予め定められたしきい値を格納するしきい値データベースと、入力検索条件に該当する既検索条件があるか否か検索し、既検索条件がある場合は、該既検索条件に対する検索結果のうち選択された情報であって、しきい値を越えているか否か判定する検索実行手段と、検索実行手段により検索された情報であって、その選択回数がしきい値を越えていると判定された情報を提供する情報提供手段と、を備えることを特徴とする。【選択図】図７
2010146332.tif 000002
【特許請求の範囲】
【請求項１】
検索条件の入力を受け付ける入力手段と、
既に行われた検索に利用された既検索条件と、前記既検索条件に対する検索結果のうち選択された情報と、選択回数と、を格納する検索履歴データベースと、
予め定められたしきい値を格納するしきい値データベースと、
前記入力手段から入力された入力検索条件と、前記検索履歴データベースと、前記しきい値データベースと、を参照し、前記入力検索条件に該当する既検索条件があるか否か検索し、既検索条件がある場合は、該既検索条件に対する検索結果のうち選択された情報であって、前記しきい値を越えているか否か判定する検索実行手段と、
前記検索実行手段により検索された情報であって、その選択回数が前記しきい値を越えていると判定された情報を提供する情報提供手段と、
を備えることを特徴とする情報処理装置。
【請求項２】
前記検索実行手段は、前記入力手段から入力された入力検索条件に該当する既検索条件がないと判定された場合、若しくは、該当する既検索条件があっても、該既検索条件に対する検索結果のうち選択された情報の選択回数が前記しきい値を越えていないと判定された場合は、前記入力検索条件に基づいて新たに検索を行うことを特徴とする請求項１記載の情報処理装置。
【請求項３】
前記検索実行手段は、前記新たに検索を行った場合の入力検索条件、検索結果のうち選択された情報に基づいて、前記検索履歴データベースを更新することを特徴とする請求項２記載の情報処理装置。
【請求項４】
前記しきい値は、前記選択回数の数値であって、
前記検索実行手段は、前記検索された既検索条件に対する検索結果のうち選択された情報であって、前記情報の選択回数が前記しきい値を越えているか否か判定することを特徴とする請求項１から３のいずれか１項記載の情報処理装置。
【請求項５】
少なくとも検索サーバとネットワークを介して接続され、前記検索サーバとデータの送受信を行う第１の送受信手段を備え、
前記検索実行手段が新たに検索を行う場合は、前記入力検索条件を前記検索サーバに送信し、前記検索サーバから検索結果を取得することを特徴とする請求項２から４のいずれか１項記載の情報処理装置。
【請求項６】
少なくともサーバとネットワークを介して接続され、前記サーバとデータの送受信を行う第２の送受信手段を備え、
前記検索履歴データベースが格納する情報は、前記サーバのＵＲＬ（Uniform Resource Locators）であり、
前記情報提供手段は、前記検索実行手段により検索されたＵＲＬであって、前記しきい値を越えていると判定されたＵＲＬに基づき、前記送受信手段により前記サーバから取得したＷｅｂページを表示することを特徴とする請求項１から５のいずれか１項記載の情報処理装置。
【請求項７】
少なくとも情報処理装置と、サーバと、がネットワークを介して接続された情報提供システムであって、
情報処理装置は、
検索条件の入力を受け付ける入力手段と、
既に行われた検索に利用された既検索条件と、前記既検索条件に対する検索結果のうち選択された情報と、選択回数と、を格納する検索履歴データベースと、
予め定められたしきい値を格納するしきい値データベースと、
前記入力手段から入力された入力検索条件と、前記検索履歴データベースと、前記しきい値データベースと、を参照し、前記入力検索条件に該当する既検索条件があるか否か検索し、既検索条件がある場合は、該既検索条件に対する検索結果のうち選択された情報であって、前記しきい値を越えているか否か判定する検索実行手段と、
前記検索実行手段により検索された情報であって、その選択回数が前記しきい値を越えていると判定された情報を提供する情報提供手段と、
前記サーバとデータの送受信を行う送受信手段と、を備え、
前記検索履歴データベースが格納する情報は、前記サーバのＵＲＬ（Uniform Resource Locators）であり、
前記情報提供手段は、前記検索実行手段により検索されたＵＲＬであって、前記しきい値を越えていると判定されたＵＲＬに基づき、前記送受信手段により前記サーバから取得したＷｅｂページを表示することを特徴とする情報提供システム。
【請求項８】
検索条件の入力を受け付けるステップと、
前記入力された入力検索条件と、既に行われた検索に利用された既検索条件と前記既検索条件に対する検索結果のうち選択された情報と選択回数とを格納する検索履歴データベースと、予め定められたしきい値を格納するしきい値データベースと、を参照し、前記入力検索条件に該当する既検索条件があるか否か検索するステップと、
前記検索するステップにより検索された既検索条件に対する検索結果のうち選択された情報であって、前記しきい値を越えているか否か判定するステップと、
前記判定するステップにより前記しきい値を越えていると判定された情報を提供するステップと、
を備えることを特徴とする情報提供方法。
【請求項９】
検索条件の入力を受け付ける処理と、
前記入力された入力検索条件と、既に行われた検索に利用された既検索条件と前記既検索条件に対する検索結果のうち選択された情報と選択回数とを格納する検索履歴データベースと、予め定められたしきい値を格納するしきい値データベースと、を参照し、前記入力検索条件に該当する既検索条件があるか否か検索する処理と、
前記検索するステップにより検索された既検索条件に対する検索結果のうち選択された情報であって、前記しきい値を越えているか否か判定する処理と、
前記判定するステップにより前記しきい値を越えていると判定された情報を提供する処理と、
をコンピュータに実行させることを特徴とする情報提供プログラム。
【請求項１０】
請求項９記載の情報提供プログラムの処理を記録するコンピュータ読取り可能な記録媒体。
【発明の詳細な説明】
【技術分野】
【０００１】
本発明は、情報処理装置、情報提供システム、情報提供方法、情報提供プログラム及び記録媒体に関し、特に手間を省いてより早く所望する情報を提供する情報処理装置、情報提供システム、情報提供方法、情報提供プログラム及び記録媒体に関する。
【背景技術】
【０００２】
Ｗｅｂページの閲覧者は、自身が頻繁に閲覧するＷｅｂページのＵＲＬをＷｅｂブラウザのブックマーク機能（お気に入り機能、しおり機能などの別名がある）で登録しておき、そのブックマーク機能を使ってＷｅｂページを選び、閲覧する。しかしながら、ブックマーク登録しているＵＲＬが多くなってくると、その中から目的のものを探すことが困難となる。
【０００３】
また、探しやすくするために、Ｗｅｂページの種別や目的ごとに分類してブックマーク登録することもできるが、分類が多くなったり、分類しづらいＷｅｂページがあった場合に手間がかかる。また、昔にブックマーク登録したＵＲＬは、どういった目的のためにブックマーク登録していたか、どういった内容のＷｅｂページかを忘れてしまい、利用されないままとなることが多い。
【０００４】
そこで、ブックマーク登録の手間や困難を避けるために、Ｗｅｂページの閲覧者は、検索システムを使って、特定のキーワードで検索し、得られた結果から特定のＷｅｂページを選び、閲覧することが多くなってきた。これは、例えば企業名などの固有名詞で検索し、その企業のＷｅｂページのトップページを表示するといったように、検索キーワードと、閲覧するＷｅｂページの組が固定化されている場合が多い。
【特許文献１】特開２００７−１０２３５３号公報
【発明の開示】
【発明が解決しようとする課題】
【０００５】
しかしながら、検索システムを使う場合、Ｗｅｂページの閲覧者は、１）検索システムの画面にアクセスし、２）検索キーワードを入力し、３）検索実行ボタンをクリックし、４）検索システムが検索を実行するのを待ち、５）表示された検索結果画面の中から所望のＷｅｂページを探し、６）該当のＷｅｂページへのリンクをクリックし、７）該当のＷｅｂページが表示される、という手順を踏むことになる。
【０００６】
特定のキーワードに対して、定まったＷｅｂページを閲覧するだけであれば、上記の手順のうち４）５）６）は、Ｗｅｂページの閲覧者に無駄な作業をさせていることになるとともに、検索システムも無駄な処理をしていることになるため、これらの作業、処理を省略することが望まれる。
【０００７】
本発明はこのような状況に鑑みてなされたものであり、過去の入力検索条件を参照することで、手間を省いてより早く所望する情報を提供することを目的としている。
【課題を解決するための手段】
【０００８】
本発明に係る情報処理装置は、検索条件の入力を受け付ける入力手段と、既に行われた検索に利用された既検索条件と、前記既検索条件に対する検索結果のうち選択された情報と、選択回数と、を格納する検索履歴データベースと、予め定められたしきい値を格納するしきい値データベースと、前記入力手段から入力された入力検索条件と、前記検索履歴データベースと、前記しきい値データベースと、を参照し、前記入力検索条件に該当する既検索条件があるか否か検索し、既検索条件がある場合は、該既検索条件に対する検索結果のうち選択された情報であって、前記しきい値を越えているか否か判定する検索実行手段と、前記検索実行手段により検索された情報であって、その選択回数が前記しきい値を越えていると判定された情報を提供する情報提供手段と、を備えることを特徴とする。
【０００９】
本発明に係る情報提供システムは、少なくとも情報処理装置と、サーバと、がネットワークを介して接続された情報提供システムであって、情報処理装置は、検索条件の入力を受け付ける入力手段と、既に行われた検索に利用された既検索条件と、前記既検索条件に対する検索結果のうち選択された情報と、選択回数と、を格納する検索履歴データベースと、予め定められたしきい値を格納するしきい値データベースと、前記入力手段から入力された入力検索条件と、前記検索履歴データベースと、前記しきい値データベースと、を参照し、前記入力検索条件に該当する既検索条件があるか否か検索し、既検索条件がある場合は、該既検索条件に対する検索結果のうち選択された情報であって、前記しきい値を越えているか否か判定する検索実行手段と、前記検索実行手段により検索された情報であって、その選択回数が前記しきい値を越えていると判定された情報を提供する情報提供手段と、前記サーバとデータの送受信を行う送受信手段と、を備え、前記検索履歴データベースが格納する情報は、前記サーバのＵＲＬ（Uniform Resource Locators）であり、前記情報提供手段は、前記検索実行手段により検索されたＵＲＬであって、前記しきい値を越えていると判定されたＵＲＬに基づき、前記送受信手段により前記サーバから取得したＷｅｂページを表示することを特徴とする。
【００１０】
本発明に係る情報提供方法は、検索条件の入力を受け付けるステップと、前記入力された入力検索条件と、既に行われた検索に利用された既検索条件と前記既検索条件に対する検索結果のうち選択された情報と選択回数とを格納する検索履歴データベースと、予め定められたしきい値を格納するしきい値データベースと、を参照し、前記入力検索条件に該当する既検索条件があるか否か検索するステップと、前記検索するステップにより検索された既検索条件に対する検索結果のうち選択された情報であって、前記しきい値を越えているか否か判定するステップと、前記判定するステップにより前記しきい値を越えていると判定された情報を提供するステップと、を備えることを特徴とする。
【００１１】
本発明に係る情報提供プログラムは、検索条件の入力を受け付ける処理と、前記入力された入力検索条件と、既に行われた検索に利用された既検索条件と前記既検索条件に対する検索結果のうち選択された情報と選択回数とを格納する検索履歴データベースと、予め定められたしきい値を格納するしきい値データベースと、を参照し、前記入力検索条件に該当する既検索条件があるか否か検索する処理と、前記検索するステップにより検索された既検索条件に対する検索結果のうち選択された情報であって、前記しきい値を越えているか否か判定する処理と、前記判定するステップにより前記しきい値を越えていると判定された情報を提供する処理と、をコンピュータに実行させることを特徴とする。
【００１２】
本発明に係る記録媒体は、上記本発明に係る情報提供プログラムの処理を記録するコンピュータ読取り可能な記録媒体である。
【発明の効果】
【００１３】
本発明によれば、過去の入力検索条件を参照することで、手間を省いてより早く所望する情報を提供することが出来る。
【発明を実施するための最良の形態】
【００１４】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１５】
本発明は、上述したように、過去の入力検索条件を参照することで、手間を省いてより早く所望する情報を提供することを目的とし、具体的には、情報処理装置であって、検索条件の入力を受け付ける入力手段と、既に行われた検索に利用された既検索条件と、前記既検索条件に対する検索結果のうち選択された情報と、選択回数と、を格納する検索履歴データベースと、予め定められたしきい値を格納するしきい値データベースと、前記入力手段から入力された入力検索条件と、前記検索履歴データベースと、前記しきい値データベースと、を参照し、前記入力検索条件に該当する既検索条件があるか否か検索し、既検索条件がある場合は、該既検索条件に対する検索結果のうち選択された情報であって、前記しきい値を越えているか否か判定する検索実行手段と、前記検索実行手段により検索された情報であって、その選択回数が前記しきい値を越えていると判定された情報を提供する情報提供手段と、を備えることを特徴とする。
【００１６】
本発明の実施形態に係る情報処理装置のブロック構成図を図１に示す。図１に示すように、本実施形態に係る情報処理装置は、検索条件入力部２０、検索実行部２１、検索履歴ＤＢ（データベース）２４及び閲覧回数しきい値ＤＢ２５を格納する記憶部２３、表示部２６、から少なくとも構成される。これにより、過去の入力検索条件を参照することで、手間を省いてより早く所望する情報を取得することが出来る。
【００１７】
さらに、所望する情報がネットワークを介して接続された外部機器にある場合について説明する。
【００１８】
以下に説明する実施形態では、情報処理装置の一例として利用者端末１０を用いる。また、検索履歴データベースが格納する情報の一例として、ネットワークを介して接続されるサーバのＵＲＬ（Uniform Resource Locators）を用いる。さらに、情報提供手段が提供する情報には、一例として、検索実行手段により検索されたＵＲＬであって、しきい値を越えていると判定されたＵＲＬに基づいて送受信手段によりサーバから取得したＷｅｂページを用いる。
【００１９】
〔構成〕
本発明の実施形態に係る情報検索システムの全体概略図を図２に示す。本実施形態に係る情報検索システムは、検索利用者が利用する情報処理装置である利用者端末１０と、検索サーバ３０と、Ｗｅｂサーバ４０と、通信路５０と、から構成される。利用者端末１０、検索サーバ３０及びＷｅｂサーバ４０は、通信路５０を介して接続され、相互に通信ができる。なお、通信路５０は、インターネットや携帯電話網など、単一または複合の通信路を提供するもので、手段は問わない。
【００２０】
（利用者端末１０）
検索利用者は、利用者端末１０を使って、検索を実行したり、検索結果を閲覧したりする。利用者端末１０の構成を図３に示す。本実施形態に係る利用者端末１０は、検索条件入力部２０、検索実行部２１、Ｗｅｂページ取得部２２、検索履歴ＤＢ（データベース）２４及び閲覧回数しきい値ＤＢ２５を格納する記憶部２３、表示部２６、から少なくとも構成される。
【００２１】
利用者は、検索条件入力部２０から検索条件を入力する。検索条件はたとえば文字入力によるキーワードが考え得る。
【００２２】
検索実行部２１は、入力された検索条件から、検索履歴ＤＢ２４及び閲覧回数しきい値ＤＢ２５を参照し、入力された検索条件の閲覧回数が、閲覧回数しきい値以上の場合は、検索履歴ＤＢ２４から該当するＷｅｂサーバのＵＲＬ（Uniform Resource Locators）を抽出し、Ｗｅｂページ取得部２２へ引き渡す。一方、入力された検索条件の閲覧回数が、閲覧回数しきい値より少ない場合は、検索条件を含む検索サーバ３０のＵＲＬをＷｅｂページ取得部２２へ引き渡す。
【００２３】
検索履歴ＤＢ２４は、以下の情報を保持する。
・検索に使われた検索条件
・検索されたＷｅｂページのうち、検索利用者が閲覧したＷｅｂページのＵＲＬ
・同じ検索条件で検索され、閲覧されたＷｅｂページの閲覧回数
検索履歴ＤＢ２４の一例を図４に示す。検索の度に検索履歴ＤＢは更新される。
【００２４】
閲覧回数しきい値ＤＢ２５は、任意の整数値を保持するが、本実施形態では「１０」を保持しているとする（図５参照）。
【００２５】
Ｗｅｂページ取得部２２は、後述する「（２）手順の省略時」の手順により、しきい値２５１を超えている場合にＷｅｂサーバ４０が呼び出されるケースでは、検索実行部２１から引き渡されたＵＲＬで示されるＷｅｂページを、ネットワークを介して接続されたＷｅｂサーバ４０から取得して、表示部２６に送る。すなわち、Ｗｅｂページ取得部２２は、外部装置とネットワークを介して接続され、データの送受信を行う送受信手段の一例である。一方、後述する「（１）通常時」の手順により、検索サーバ３０が呼び出されるケースでは、表示部２６に表示された検索結果一覧として列挙されているリンク（ＵＲＬ）のいずれかを利用者がクリックすると、Ｗｅｂページ取得部２２は該クリックされたＵＲＬ（選択ＵＲＬ）に基づいてＷｅｂページを取得し、また、Ｗｅｂページ取得部２２は選択ＵＲＬを検索実行部２１へ引き渡す処理も行う。選択ＵＲＬを検索実行部２１へ引き渡す処理を行うことで、検索実行部２１は検索履歴ＤＢを更新することが出来る。
【００２６】
表示部２６は、情報提供手段の一例である。
【００２７】
（検索サーバ３０）
検索サーバ３０は、利用者端末１０が備えるＷｅｂページ取得部２２から、検索条件を含むＵＲＬでアクセスされた際に、その検索条件でＷｅｂページを検索する。検索終了後、検索結果をＷｅｂページとして利用者端末１０に返信する。本実施形態に係る検索サーバ３０は一般的なＷｅｂ検索システムであり、特に限定しない。
【００２８】
（Ｗｅｂサーバ４０）
図２においては例としてＷｅｂサーバ４０は１つ記載しているが、Ｗｅｂサーバは１以上の一般的なサーバであれば良い。利用者端末１０からＵＲＬでアクセスされた際に、該当のＷｅｂページを返信する。
【００２９】
〔動作処理〕
次に、本実施形態に係る検索システムの動作処理について説明する。
（１）通常時
通常時とは、本実施形態に係る検索システムにおいて、入力された検索条件が検索履歴ＤＢ２４に無い場合や、該当する検索条件があっても、その検索条件で結果的に閲覧されたＵＲＬの閲覧回数がしきい値より少ない場合の動作処理である。通常時のタイムチャートを図６に示す。
【００３０】
まず、検索利用者は、利用者端末１０を操作して、検索条件入力部２０から検索条件を入力する。検索条件入力部２０は、入力された検索条件を検索実行部２１に送り、検索実行を要求する（Ｓｔｅｐ１）。
【００３１】
検索実行部２１は、入力された検索条件（以下、入力検索条件と称す）に基づいて、検索履歴ＤＢ２４を参照し、入力検索条件に一致する検索条件、該一致する検索条件に該当するＵＲＬ、閲覧回数を取得する（Ｓｔｅｐ２）。ここで、入力検索条件に一致する検索条件に該当するＵＲＬ、閲覧回数の組が複数ある場合は、全てを取得する。
【００３２】
さらに、検索実行部２１は、閲覧回数しきい値ＤＢ２５に保持されているしきい値２５１を取得する（Ｓｔｅｐ３）。
【００３３】
検索実行部２１は、Step２で、入力検索条件に一致する検索条件が無かった場合、またはStep２で取得したＵＲＬ、閲覧回数のうち最大の閲覧回数がしきい値２５１を超えていない場合、次のStep５以降を実行する（Ｓｔｅｐ４）。例えば図４に示す検索履歴ＤＢ２４と、図５に示す閲覧回数しきい値ＤＢ２５の場合、入力検索条件が「マンション 購入」であった場合、いずれのＵＲＬも閲覧回数はしきい値（１０）を越えていないため、後述するStep５以降を実行する。なお、入力検索条件が「賃貸」の場合、ＵＲＬ http://www .chintai.jp/の閲覧回数がしきい値を超えているが、このように閲覧回数がしきい値を超えている場合の処理は図７を用いて後述する。
【００３４】
検索実行部２１は、検索サーバ３０のＵＲＬと入力検索条件とを組み合わせたＵＲＬ（以下、検索ＵＲＬと称す）を生成し、Ｗｅｂページ取得部２２へ引き渡す（Ｓｔｅｐ５）。なお、検索ＵＲＬは一般には「http://www.searchsystem.com/search?query=words」といったパラメータ付きのＵＲＬであり、一般的な検索サーバへこのような形式のＵＲＬを引き渡すと、検索サーバが検索を実行できるものである。
【００３５】
Ｗｅｂページ取得部２２は、受け取った検索ＵＲＬに基づいて検索サーバ３０を呼び出す（Ｓｔｅｐ６）。
【００３６】
検索サーバ３０は、検索ＵＲＬを受け取り、検索を実行し、該当するＷｅｂページ（ＵＲＬ）の一覧から成る検索結果一覧ＷｅｂページをＷｅｂページ取得部２２へ返信する（Ｓｔｅｐ７）。
【００３７】
Ｗｅｂページ取得部２２は、受信した検索結果一覧Ｗｅｂページを、表示部２６を通じて検索利用者に提示する。検索利用者は利用者端末１０の表示部２６を通じて検索結果一覧Ｗｅｂページを閲覧することが出来る（Ｓｔｅｐ８）。
【００３８】
検索利用者は、検索結果一覧の中から所望のＷｅｂページを選び、そのリンク（ＵＲＬ）をクリックする。この際、選ばれたＷｅｂページのＵＲＬ（以下、選択ＵＲＬと称す）は、Ｗｅｂページ取得部２２へ引き渡される（Ｓｔｅｐ９）。
【００３９】
Ｗｅｂページ取得部２２は、引き渡された選択ＵＲＬを検索実行部２１へ引き渡す（Ｓｔｅｐ１０）。
【００４０】
検索実行部２１は、検索履歴ＤＢ２４を参照し、入力検索条件と引き渡された選択ＵＲＬの組に一致する検索条件とＵＲＬの組に該当する閲覧回数の値を１増やして検索履歴ＤＢ２４を更新する（Ｓｔｅｐ１１）。ここで、入力検索条件と引き渡された選択ＵＲＬの組に一致する検索条件とＵＲＬの組が無い場合は、入力検索条件、選択ＵＲＬ、数値１の組をそれぞれ検索条件、ＵＲＬ、閲覧回数の組として検索履歴ＤＢ２４に登録する。
【００４１】
一方、Ｗｅｂページ取得部２２は、引き渡された選択ＵＲＬでＷｅｂサーバ４０を呼び出す（Ｓｔｅｐ１２）。Ｗｅｂサーバ４０は、選択ＵＲＬに該当するＷｅｂページをＷｅｂページ取得部２２へ返信する（Ｓｔｅｐ１３）。Ｗｅｂページ取得部２２は、受信したＷｅｂページを表示し、検索利用者は利用者端末１０の表示部２６を通じてＷｅｂページを閲覧することが出来る（Ｓｔｅｐ１４）。
【００４２】
（２）手順の省略時
次に、上述した（１）通常時のＳｔｅｐ４で、入力検索条件に一致する検索条件に該当する閲覧回数のうち最大の閲覧回数がしきい値２５１を超えている場合は、検索サーバ３０を呼び出すことなく、Ｗｅｂサーバ４０を呼び出す。かかる手順省略時のタイムチャートを図７に示す。
【００４３】
Ｓｔｅｐ２１から２３は、上述した（１）通常時のＳｔｅｐ１から３と同様である。検索実行部２１は、Ｓｔｅｐ２２で取得したＵＲＬ、閲覧回数のうち最大の閲覧回数がしきい値２５１を超えている場合、Ｓｔｅｐ２５以降の処理を実行する（Ｓｔｅｐ２４）。例えば図４に示す検索履歴ＤＢ２４と、図５に示す閲覧回数しきい値ＤＢ２５の場合、入力検索条件が「賃貸」の場合、ＵＲＬ http://www .chintai.jp/の閲覧回数（１１）がしきい値（１０）を超えている。
【００４４】
検索実行部２１は、Ｓｔｅｐ２２で取得したＵＲＬ、閲覧回数の組のうち閲覧回数が最大であって、しきい値を超えているＵＲＬ（以下、該当ＵＲＬ）をＷｅｂページ取得部２２へ引き渡す（Ｓｔｅｐ２５）。
【００４５】
Ｗｅｂページ取得部２２は、引き渡された該当ＵＲＬでＷｅｂサーバ４０を呼び出す（Ｓｔｅｐ２６）。Ｗｅｂサーバ４０は、ＵＲＬに該当するＷｅｂページをＷｅｂページ取得部２２へ返信する（Ｓｔｅｐ２７）。Ｗｅｂページ取得部２２は、受信したＷｅｂページを表示し、検索利用者は利用者端末１０の表示部２６を通じてＷｅｂページを閲覧することが出来る（Ｓｔｅｐ２８）。
【００４６】
以上のように、本実施形態では、検索実行部２１と検索履歴を保持するデータベース（検索履歴ＤＢ２４）を備え、検索履歴ＤＢ２４には、これまでに使われた検索条件と、その検索条件で検索されたＷｅｂページのうち、検索利用者が閲覧した（選択した）ＷｅｂページのＵＲＬ、同じ検索・閲覧が行われた回数を保持することを特徴とする。検索実行部２１は、利用者が入力した検索条件（入力検索条件）を受け付け、検索履歴ＤＢ２４を参照し、該入力検索条件で検索した際に特定のＵＲＬのＷｅｂページが閲覧された回数が、予め設定したしきい値を超えている場合には、検索サーバ３０を呼び出さずに、該当するＵＲＬのＷｅｂページを直接呼び出して、表示部２６で表示させるように制御する。これにより、何度も同じ検索条件で検索し、同じＷｅｂページを表示している場合は、検索から表示までの処理を省略でき、また、検索サーバ３０の処理を待って検索結果一覧から所望するＷｅｂページを選択する手間を省くことができ、より短時間で所望するＷｅｂページを取得することが出来る。
【００４７】
また、Ｗｅｂページの閲覧者（検索利用者）は、ブックマーク登録したＷｅｂページの中から所望のＷｅｂページを選択し、Ｗｅｂページを表示させる代わりに、検索条件を入力することで所望のＷｅｂページを表示させることができるため、ブックマーク登録や整理の手間を省くことも出来る。
【００４８】
また、利用者端末１０が、検索実行部２１や、検索履歴ＤＢ２４、閲覧回数しきい値ＤＢ２３を備える構成となっているため、利用者端末１０側で処理し、不要な検索処理（検索サーバ３０への検索要求）を省略するため、検索サーバ３０側でのコンピューティングリソースを節約できる。
【００４９】
〔他の実施形態〕
なお、上記実施形態では、閲覧回数しきい値ＤＢ２５に格納されているしきい値を図５に示すように回数としているが、本発明はこれに限られることはない。例えば、特定の検索条件で検索・閲覧されている回数の合計のうち、回数が最大のものが占める比率をしきい値としても良い。
【００５０】
また、閲覧回数しきい値ＤＢ２５は、複数しきい値を格納し、どのしきい値を用いるかを予め利用者が任意に設定出来るようにしても良い。
【００５１】
また、図７に示すＳｔｅｐ２４に該当する場合に、手順の省略をするか否かを検索利用者に選択させることも可能である。
【００５２】
また、上記実施形態では、図３に示すように利用者端末１０が、検索実行部２１や、検索履歴ＤＢ２４、閲覧回数しきい値ＤＢ２３を備える構成となっているが、本発明はこれに限られることはなく、これら全て若しくは個々に外部装置が備える構成としてもよく、いずれにせよネットワークを介して互いに連動して処理が出来れば、いずれの装置が備えているかは特に限定しない。例えば、検索実行部、検索履歴ＤＢ、閲覧回数しきい値ＤＢ２３を検索サーバ３０が備える場合、検索サーバ３０を利用する複数の検索利用者毎に検索履歴を記録し、図６、図７に示す処理を行うことも可能である。
【００５３】
本発明の利用が考えられる分野としては、本発明に係る処理を実装したソフトウェア、ソフトウェアを記録したメディアが考え得る。また、本発明の全部または一部の機能を実現するシステムを運営し、検索利用者へ機能を提供するサービス、本発明の全部または一部のシステムを構築するシステム構築サービスが考え得る。
【００５４】
なお、各図のタイムチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００５５】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００５６】
【図１】本発明の実施形態に係る情報処理装置のブロック構成図である。
【図２】本発明の実施形態に係る情報検索システムの全体概略図である。
【図３】本発明の実施形態に係る利用者端末１０のブロック構成図である。
【図４】本発明の実施形態に係る検索履歴ＤＢ２４の一例を示す図である。
【図５】本発明の実施形態に係る閲覧回数しきい値ＤＢ２５の一例を示す図である。
【図６】本発明の実施形態に係る通常時の動作処理を示すタイムチャートである。
【図７】本発明の実施形態に係る省略時の動作処理を示すタイムチャートである。
【符号の説明】
【００５７】
１０    利用者端末
３０    検索サーバ
４０    Ｗｅｂサーバ
５０    通信路
２０    検索条件入力部
２１    検索実行部
２２    Ｗｅｂページ取得部
２４    検索履歴ＤＢ
２５    閲覧回数しきい値ＤＢ
２３    記憶部
２６    表示部
２５１    しきい値
【図１】
2010146332.tif 000003
【図２】
2010146332.tif 000004
【図３】
2010146332.tif 000005
【図４】
2010146332.tif 000006
【図５】
2010146332.tif 000007
【図６】
2010146332.tif 000008
【図７】
2010146332.tif 000009